(57)【要約】【課題】生鮮植物を傷めず運搬でき、しかも展示できる展示兼用梱包容器を提供することを目的としている。【解決手段】上面を開放した有底で、且つ、防水処理を施した容器本体（展示兼用梱包容器本体１０）と、前記容器本体（展示兼用梱包容器本体１０）外周面に形成され、当該容器本体（展示兼用梱包容器本体１０）の一部を分離できる切り取り片（１１）とを有し、切り花等の生鮮植物（花束Ｆ）を運搬する際、当該生鮮植物（花束Ｆ）を前記容器本体（展示兼用梱包容器本体１０）内に隠蔽するように収納し、該生鮮植物（花束Ｆ）を展示する際、その収納状態のままで前記容器本体（展示兼用梱包容器本体１０）の一部を前記切り取り片（１１）によって分離し、前記容器本体（展示兼用梱包容器本体１０）内に収納されている生鮮植物（花束Ｆ）の一部を露出させることで、展示してなることを特徴としている。【選択図】図７
2013224162.tif 000002
【特許請求の範囲】
【請求項１】
上面を開放した有底で、且つ、防水処理を施した容器本体と、
前記容器本体外周面に形成され、当該容器本体の一部を分離できる切り取り片とを有し、
切り花等の生鮮植物を運搬する際、当該生鮮植物を前記容器本体内に隠蔽するように収納し、該生鮮植物を展示する際、その収納状態のままで前記容器本体の一部を前記切り取り片によって分離し、前記容器本体内に収納されている生鮮植物の一部を露出させることで、展示してなることを特徴とする展示兼用梱包容器。
【請求項２】
前記容器本体内に挿抜可能に設けられる仕切部材をさらに有し、
前記仕切部材は、前記容器本体内に貯留する水の面より上方位置に設けられると共に、前記容器本体の内周面に当該仕切部材の外周面が当接されて、前記水を密閉状態とし、さらに、前記仕切部材には、前記生鮮植物を挿入するための挿入孔が貫設されてなることを特徴とする請求項１に記載の展示兼用梱包容器。
【請求項３】
前記容器本体は、当該容器本体が偏平状に折り畳み可能となるように、相対する両側面部及び底面部に折り畳み線が形成されてなることを特徴とする請求項１又は２に記載の展示兼用梱包容器。
【請求項４】
前記容器本体の内周底面部には、補強線が形成されてなることを特徴とする請求項１〜３のいずれか１項に記載の展示兼用梱包容器。
【発明の詳細な説明】
【技術分野】
【０００１】
本発明は、儀式典礼用、観賞用等に供される生鮮植物を運搬及び展示できる展示兼用梱包容器に関する。
【背景技術】
【０００２】
従来の展示兼用梱包容器として、例えば特許文献１に記載のような展示兼用梱包容器が知られている。この展示兼用梱包容器は、その外形と折れ線に沿って折り曲げ、取手を取り付ける位置に開口を形成し、さらに内面に防水処理を施すことで、持ち帰り紙袋及び花瓶として使用できるようになっている。
【先行技術文献】
【特許文献】
【０００３】
【特許文献１】登録実用新案第３１００１１２号公報
【発明の概要】
【発明が解決しようとする課題】
【０００４】
しかしながら、上記のような展示兼用梱包容器は、生鮮植物の一部を外部に露出させたままの状態で当該生鮮植物を収容し、持ち帰り紙袋及び花瓶として使用できるように形成されているため、持ち運びの際、上記生鮮植物を傷めてしまい美的外観を損ねてしまうという問題があった。
【０００５】
そこで本発明は、上記問題に鑑み、生鮮植物を傷めず運搬でき、しかも展示できる展示兼用梱包容器を提供することを目的としている。
【課題を解決するための手段】
【０００６】
上記課題を解決するための手段は、以下の手段によって達成される。なお、括弧内は、後述する実施形態の参照符号を付したものであるが、本発明はこれに限定されるものではない。
【０００７】
請求項１に係る展示兼用梱包容器は、上面を開放した有底で、且つ、防水処理を施した容器本体（展示兼用梱包容器本体１０）と、前記容器本体（展示兼用梱包容器本体１０）外周面に形成され、当該容器本体（展示兼用梱包容器本体１０）の一部を分離できる切り取り片（１１）とを有し、切り花等の生鮮植物（花束Ｆ）を運搬する際、当該生鮮植物（花束Ｆ）を前記容器本体（展示兼用梱包容器本体１０）内に隠蔽するように収納し、該生鮮植物（花束Ｆ）を展示する際、その収納状態のままで前記容器本体（展示兼用梱包容器本体１０）の一部を前記切り取り片（１１）によって分離し、前記容器本体（展示兼用梱包容器本体１０）内に収納されている生鮮植物（花束Ｆ）の一部を露出させることで、展示してなることを特徴としている。
【０００８】
また、請求項２に係る展示兼用梱包容器は、上記請求項１に記載の展示兼用梱包容器において、前記容器本体（展示兼用梱包容器本体１０）内に挿抜可能に設けられる仕切部材（７０）をさらに有し、前記仕切部材（７０）は、前記容器本体（展示兼用梱包容器本体１０）内に貯留する水（Ｗ）の面より上方位置に設けられると共に、前記容器本体（展示兼用梱包容器本体１０）の内周面に当該仕切部材（７０）の外周面が当接されて、前記水（Ｗ）を密閉状態とし、さらに、前記仕切部材（７０）には、前記生鮮植物（花束Ｆ）を挿入するための挿入孔（７１ａ）が貫設されてなることを特徴としている。
【０００９】
一方、請求項３に係る展示兼用梱包容器は、上記請求項１又は２に記載の展示兼用梱包容器において、前記容器本体（展示兼用梱包容器本体１０）は、当該容器本体（展示兼用梱包容器本体１０）が偏平状に折り畳み可能となるように、相対する両側面部（側板３２，３４）及び底面部（底板３６，３８、糊代３９）に折り畳み線（５０，５１）が形成されてなることを特徴としている。
【００１０】
また、請求項４に係る展示兼用梱包容器は、上記請求項１〜３のいずれか１項に記載の展示兼用梱包容器において、前記容器本体（展示兼用梱包容器本体１０）の内周底面部（底板３５，３７）には、補強線（６０，６１）が形成されてなることを特徴としている。
【発明の効果】
【００１１】
次に、本発明の効果について、図面の参照符号を付して説明する。まず、請求項１の発明によれば、容器本体（展示兼用梱包容器本体１０）内に生鮮植物（花束Ｆ）を隠蔽するように収納しているから、展示兼用梱包容器を運搬する際、生鮮植物（花束Ｆ）を傷めず運搬することができる。そしてさらには、切り取り片（１１）によって容器本体（展示兼用梱包容器本体１０）の一部を分離するだけで、生鮮植物（花束Ｆ）の一部が露出するから、容器本体（展示兼用梱包容器本体１０）内に生鮮植物（花束Ｆ）を収納させた状態のまま、当該生鮮植物（花束Ｆ）を展示することができる。
【００１２】
一方、請求項２の発明によれば、仕切部材（７０）を容器本体（展示兼用梱包容器本体１０）内に挿入しているから、当該仕切部材（７０）の挿入孔（７１ａ）に生鮮植物（花束Ｆ）を挿入することで、生鮮植物（花束Ｆ）を容器本体（展示兼用梱包容器本体１０）内に安定した姿勢で保持させることができる。また、仕切部材（７０）により水（Ｗ）を展示兼用梱包容器本体（１０）内に密閉させているから、展示兼用梱包容器本体（１０）内に貯留した水（Ｗ）が外部に漏れてしまう事態を低減させることができる。
【００１３】
また、請求項３の発明によれば、折り畳み線（５０，５１）によって、容器本体（展示兼用梱包容器本体１０）を偏平状に折り畳むことができるから、展示兼用梱包容器を不使用時、折り畳んでコンパクトに収納することができる。
【００１４】
さらに、請求項４の発明によれば、容器本体（展示兼用梱包容器本体１０）の内周底面部に補強線（６０，６１）が形成されているため、防水性を向上させることができると共に、強度も向上させることができる。
【図面の簡単な説明】
【００１５】
【図１】本発明の一実施形態に係る展示兼用梱包容器の斜視図である。
【図２】同実施形態に係る展示兼用梱包容器を展開した１枚のシート体を示す平面図である。
【図３】（ａ）は、図２に示すシート体を折り曲げて角筒状に形成した斜視図を示し、（ｂ）は、（ａ）の状態から略立方体又は略直方体を形成した状態を示す斜視図である。
【図４】同実施形態に係る展示兼用梱包容器を折り畳んだ状態を示す正面図である。
【図５】同実施形態に係る展示兼用梱包容器内に仕切部材を挿入する状態を示す斜視図である。
【図６】同実施形態に係る展示兼用梱包容器内に花束を収納した状態を示す縦断面図である。
【図７】（ａ）は、図６に示す状態から切り取り片を展示兼用梱包容器本体から分離する状態を示す斜視図を示し、（ｂ）は、切り取り片を展示兼用梱包容器本体から完全に分離し、展示兼用梱包容器本体の一部を分離した状態を示す斜視図である。
【図８】図６に示す展示兼用梱包容器を複数段積み重ねた状態を示す斜視図である。
【発明を実施するための形態】
【００１６】
以下、本発明に係る展示兼用梱包容器の一実施形態を、図１〜図８を参照して具体的に説明する。なお、以下の説明において、上下左右の方向を示す場合には、図示正面から見た場合の上下左右をいうものとする。
【００１７】
図１に示すように、本実施形態に係る展示兼用梱包容器１は、上方が開放された有底の略立方体又は略直方体からなる展示兼用梱包容器本体１０にて構成されている。この展示兼用梱包容器本体１０は、図１に示すように、略中央部外周面全面に亘って、ミシン目等の切り取り線１１ａを介して細長の切り取り片１１が連設されている。この切り取り片１１は、切り取り線１１ａに沿って展示兼用梱包容器本体１０より分離できるようになっており、これにより、展示兼用梱包容器本体１０の一部が分離できるようになっている（図７参照）。また、展示兼用梱包容器本体１０は、内周面に防水処理が施され、内部に水を貯水できるようになっている。なお、防水処理としては、例えば、高分子化合物塗料を吹き付けたり、樹脂フィルムを貼り付けたり等の方法がある。また、本実施形態においては、内周面のみ防水処理を施すように例示したが、勿論、外周面に防水処理を施しても良い。
【００１８】
ここで、さらに詳しく、上記展示兼用梱包容器本体１０について、図２及び図３を用いて説明する。展示兼用梱包容器本体１０は、図２に示すように、防水処理が施された紙や樹脂等の可撓性のある材質からなる略矩形状の１枚のシート体Ａからなる。このシート体Ａは、左側面から所定間隔を置いた位置に、上側面から下側面に向かって折り曲げ線２０が直線状に形成され、これにより、糊代３０が区画されている。そしてさらに、このシート体Ａには、この折り曲げ線２０の下部側から直交方向に、当該シート体Ａの右側面に向かって折り曲げ線２１が直線上に形成されている。また、この折り曲げ線２１には、所定間隔置きに、直交方向に、当該シート体Ａの上側面に向かって折り曲げ線２２〜２４が直線上に形成され、これにより、側板３１〜３４が区画されている。
【００１９】
一方、上記折り曲げ線２１には、直交方向に、上記折り曲げ線２２〜２４と連接する位置から、当該シート体Ａの下側面に向かって切断線４０〜４２が直線上に形成され、これにより、底板３５〜３８が夫々分離された形で形成されている。
【００２０】
他方、底板３６の下側面には糊代３９が連設され、その糊代３９及び側板３２並びに底板３６の略中央部には、上記シート体Ａの上側面から下側面に向かって折り畳み線５０が直線状に形成されている。そして、側板３４及び底板３８の略中央部には、上記シート体Ａの上側面から下側面に向かって折り畳み線５１が直線状に形成されている。また、側板３２には、折り曲げ線２１と折り曲げ線２２の接点Ｐ１及び折り曲げ線２１と折り曲げ線２３の接点Ｐ２から延出された傾斜線が、上記折り畳み線５０上で接している山型の折り畳み線５２が形成されている。またさらに、側板３４にも、折り曲げ線２１と折り曲げ線２４の接点Ｐ３及び折り曲げ線２１と上記シート体Ａの右側面との接点Ｐ４から延出された傾斜線が、上記折り畳み線５１上で接している山型の折り畳み線５３が形成されている。
【００２１】
一方、底板３５には、折り曲げ線２０と折り曲げ線２１の接点Ｐ５及び接点Ｐ１から延出された傾斜線が、上記シート体Ａの下側面で接しているＶ字状の補強線６０が形成されている。そして、底板３７には、接点Ｐ２及び接点Ｐ３から延出された傾斜線が、上記シート体Ａの下側面で接しているＶ字状の補強線６１が形成されている。
【００２２】
また一方、側板３１〜３４の略中央部（折り畳み線５２及び５３の頂部より上方位置）には、長手方向に向かって、切り取り線１１ａを介して細長の切り取り片１１が直線状に連設されている。
【００２３】
このように構成されるシート体Ａを用いて、図１に示す展示兼用梱包容器本体１０を組み立てるには、まず、折り曲げ線２０，２２〜２４に沿って、糊代３０及び側板３１〜３４の夫々をＬ字状に折り曲げ、糊代３０と側板３４の裏面（展示兼用梱包容器本体１０の内周面となる面）の一部を貼り合わせることで、図３（ａ）に示すような、角筒形状とする。そしてこの状態で、図３（ａ）に示す矢印Ｓ１方向に、底板３５及び底板３７を折り曲げ線２１に沿ってＬ字状に折り曲げ、図３（ｂ）に示すような略立方体又は略直方体の形状とする。そしてさらに、底板３８を矢印Ｓ２方向にＬ字状に折り曲げ、その後、底板３６を矢印Ｓ３方向にＬ字状に折り曲げ、さらに、糊代３９と底板３６の表面（展示兼用梱包容器本体１０の外周面となる面）の一部を貼り合わせる。これにより、図１に示す展示兼用梱包容器本体１０が組み立てられることとなる。
【００２４】
このように展示兼用梱包容器本体１０は、一枚のシート体Ａから組み立てることができるため、非常に簡単にしかも安価に製造することができる。また、展示兼用梱包容器本体１０の相対する両側面部、すなわち、側板３２及び側板３４には、折り畳み線５０及び折り畳み線５１が形成され、さらに、底面部、すなわち、底板３６及び底板３８並びに糊代３９にも折り畳み線５０及び折り畳み線５１が形成されているから、図１に示す状態から、その折り畳み線５０，５１に沿って、側板３２及び側板３４、さらに、底板３６及び底板３８並びに糊代３９を谷折りすることによって、図４に示すように、展示兼用梱包容器本体１０を偏平状に折り畳むことができる。これにより、展示兼用梱包容器１を不使用時、折り畳んでコンパクトに収納することができる。また、展示兼用梱包容器本体１０の内周底面部、すなわち、底板３５及び底板３７には、補強線６０，６１が形成されているため、防水性を向上させることができると共に、強度も向上させることができる。
【００２５】
ここで、上記のように構成される展示兼用梱包容器本体１０の使用方法を図５〜図８を用いて説明する。図５及び図６に示すように、展示兼用梱包容器本体１０内には、紙や樹脂等の可撓性のある材質からなる断面視コ字状の仕切部材７０が挿入される。この仕切部材７０は、矩形状の天板７１と、その天板７１の両側縁から鉛直下向きに延びる一対の脚片７２，７３とで構成され、天板７１には、略中央部に円形状の挿入孔７１ａが貫設されている。なお、脚片７２，７３は、天板７１の両側部をＬ字状に折り曲げることにより形成されてなるものである。
【００２６】
このように形成される仕切部材７０は、図６に示すように、その仕切部材７０の外周面が展示兼用梱包容器本体１０内周面に当接して、当該展示兼用梱包容器本体１０内に載置される。これにより、図６に示すように、展示兼用梱包容器本体１０は、立方体又は直方体に形成される。そしてこの状態で、仕切部材７０の挿入孔７１ａより水Ｗが展示兼用梱包容器本体１０内に注水されることで、展示兼用梱包容器本体１０内に水Ｗが略密閉（密閉状態）されることとなる。そしてさらに、花束Ｆが展示兼用梱包容器本体１０内に隠蔽されるように収納されて、当該挿入孔７１ａに挿入される。これにより、花束Ｆを展示兼用梱包容器本体１０内に安定した姿勢で保持させることができると共に、仕切部材７０により水Ｗを展示兼用梱包容器本体１０内に密閉させているから、展示兼用梱包容器本体１０内に貯留した水Ｗが外部に漏れてしまう事態を低減させることができる。なお、本実施形態においては、挿入孔７１ａの内周面に何も形成していない例を示したが、花束Ｆの茎部分をより良く保持するため、切込み等を形成することもできる。
【００２７】
かくして、このように展示兼用梱包容器本体１０内に花束Ｆが収納された展示兼用梱包容器１は、図示しない把手等によって持ち運び（運搬）され、そしてその後、その花束Ｆを展示するにあたっては、図７（ａ）に示すように、切り取り線１１ａに沿って切り取り片１１が展示兼用梱包容器本体１０より分離され、展示兼用梱包容器本体１０の一部が分離される。これにより、図７（ｂ）に示すように、花束Ｆの一部が外部に露出することとなるから、展示兼用梱包容器本体１０内に花束Ｆを収納させた状態のまま、当該花束Ｆを展示することができる。
【００２８】
しかして、本実施形態によれば、展示兼用梱包容器本体１０内に花束Ｆを隠蔽するように収納しているから、展示兼用梱包容器１を運搬する際、花束Ｆを傷めず運搬することができる。そしてさらには、切り取り片１１によって展示兼用梱包容器本体１０の一部を分離するだけで、花束Ｆの一部が露出するから、展示兼用梱包容器本体１０内に花束Ｆを収納させた状態のまま、当該花束Ｆを展示することができる。
【００２９】
これにより、花や植物を他者にプレゼントする際の梱包及び展示形態を全く新しい形態に変更することができる。
【００３０】
またさらには、展示兼用梱包容器本体１０内に隠蔽するように花束Ｆを収納しているから、図８に示すように、展示兼用梱包容器１を何段（図示では３段）にも積み重ねることができる。これにより、予め花束Ｆを作り置きしておくことが可能となるため、花束を即座に販売することができる。
【００３１】
また、展示兼用梱包容器本体１０の外周面には、絵や模様あるいは広告などを印刷することもできる。
【００３２】
なお、本実施形態においては、花束Ｆを例示したが、それに限らず、生鮮植物であればどのようなものでも良い。
【００３３】
また、本実施形態においては、切り取り片１１を直線状に設ける例を示したが、それに限らず傾斜状、又は、波線状等、種々様々な形状に設計変更可能である。
【００３４】
さらに、本実施形態においては、展示兼用梱包容器本体１０を略立方体又は略直方体に形成したが、これに限らず、円柱状、六角形状等、種々様々な形状に設計変更可能である。
【符号の説明】
【００３５】
１            展示兼用梱包容器
１０          展示兼用梱包容器本体（容器本体）
１１          切り取り片
１１ａ        切り取り線
３２，３４    側板（両側部）
３５，３７    底板（内周底面部）
３６，３８    底板（底面部）
３９          糊代（底面部）
５０，５１    折り畳み線
６０，６１    補強線
７０          仕切部材
７１ａ        挿入孔
Ｗ            水
Ｆ            花束（生鮮植物）
【図１】
2013224162.tif 000003
【図２】
2013224162.tif 000004
【図３】
2013224162.tif 000005
【図４】
2013224162.tif 000006
【図５】
2013224162.tif 000007
【図６】
2013224162.tif 000008
【図７】
2013224162.tif 000009
【図８】
2013224162.tif 000010